(57)【要約】【課題】ユーザが所属するグループ内で電子ポイント又は電子クーポンを共有することができるようにする。【解決手段】ポイント管理部６８によって、配置側ユーザ端末１２から、利用可能店舗の位置情報が付与された電子ポイント又は電子クーポンを示す情報、及び利用可能なグループを示す情報を含む配置要求を受信したときに、グループと対応付けて、電子ポイント又は電子クーポンを、ポイント記憶部６６に格納する。また、ポイント発行部７０によって、利用側ユーザ端末１４から、ユーザ情報を含む閲覧要求を受信したときに、グループ記憶部６４から、ユーザ情報を含むグループを取得し、ポイント記憶部６６から、取得したグループと対応付けられた電子ポイント又は電子クーポンを取得し、取得した電子ポイント又は電子クーポンの一覧を、利用側ユーザ端末１４へ送信する。【選択図】図１
2015201107.tif 000002
【特許請求の範囲】
【請求項１】
少なくとも１人のユーザ情報からなる少なくとも１つのグループを記憶するグループ記憶手段と、
配置側ユーザ端末から、利用可能店舗の位置情報が付与された電子ポイント又は電子クーポンを示す情報、及び利用可能なグループを示す情報を含む配置要求を受信したときに、前記グループと対応付けて、前記電子ポイント又は電子クーポンを、ポイント記憶手段に格納するポイント管理手段と、
利用側ユーザ端末から、前記ユーザ情報を含む閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポンの一覧を、前記利用側ユーザ端末へ送信する閲覧要求応答手段と、
を含むポイント管理装置。
【請求項２】
前記ポイント管理手段は、前記配置側ユーザ端末から、ユーザ情報を更に含む前記配置要求を受信したときに、前記グループ及び前記ユーザ情報と対応付けて、前記電子ポイント又は電子クーポンを、前記ポイント記憶手段に格納し、
前記閲覧要求応答手段は、前記利用側ユーザ端末から前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポン及び前記電子ポイント又は電子クーポンに対応付けられた前記ユーザ情報の組み合わせの一覧を、前記利用側ユーザ端末へ送信する請求項１記載のポイント管理装置。
【請求項３】
前記ポイント管理手段は、前記配置側ユーザ端末から、前記電子ポイント又は電子クーポンの利用可能店舗に対する評価情報を更に含む前記配置要求を受信したときに、前記グループ、前記ユーザ情報、及び前記評価情報と対応付けて、前記電子ポイント又は電子クーポンを、前記ポイント記憶手段に格納し、
前記閲覧要求応答手段は、前記利用側ユーザ端末から前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポン、前記電子ポイント又は電子クーポンに対応付けられた前記ユーザ情報、及び前記評価情報の組み合わせの一覧を、前記利用側ユーザ端末へ送信する請求項２記載のポイント管理装置。
【請求項４】
前記電子ポイント又は電子クーポンには、有効期限が付与され、
前記閲覧要求応答手段は、前記利用側ユーザ端末から前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポン及び前記電子ポイント又は電子クーポンに付与された有効期限の組み合わせの一覧を、前記利用側ユーザ端末へ送信する請求項１〜請求項３の何れか１項記載のポイント管理装置。
【請求項５】
前記利用側ユーザ端末から、前記電子ポイント又は電子クーポンを示す情報を含むポイント利用要求を受信したときに、前記電子ポイント又は電子クーポンを発行し、前記利用側ユーザ端末へ送信するポイント発行手段を更に含む請求項１〜請求項４の何れか１項記載のポイント管理装置。
【請求項６】
店舗側端末から、前記電子ポイント又は電子クーポンが利用されたことを示す利用実績情報を受信すると、前記ポイント記憶手段に記憶されている前記電子ポイント又は電子クーポンを更新するポイント利用更新手段を更に含む請求項１〜請求項５の何れか１項記載のポイント管理装置。
【請求項７】
ユーザ情報の各々に対して、住所および各店舗の利用回数を記憶するユーザ記憶手段を更に含み、
前記閲覧要求応答手段は、前記利用側ユーザ端末から、現在位置情報を更に含む前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記ユーザ記憶手段から、前記ユーザ情報に対する住所および各店舗の利用回数を取得し、前記取得した前記電子ポイント又は電子クーポンの各々について、前記現在位置情報、又は取得した前記ユーザ情報に対する住所および各店舗の利用回数に基づいて、流動ポイントを計算し、前記計算した流動ポイントを用いて、前記電子ポイント又は電子クーポンによる特典内容を決定し、前記決定した前記電子ポイント又は電子クーポンによる特典内容の一覧を、前記利用側ユーザ端末へ送信する請求項１〜請求項６の何れか１項記載のポイント管理装置。
【請求項８】
ユーザ情報の各々に対して、各店舗の利用回数、又は各店舗についての評価情報の提供に関する評価提供情報を記憶するユーザ記憶手段を更に含み、
前記閲覧要求応答手段は、前記利用側ユーザ端末から前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記ユーザ記憶手段から、前記電子ポイント又は電子クーポンに対応付けられた前記ユーザ情報に対する各店舗の利用回数、又は各店舗についての評価提供情報を取得し、前記取得した前記電子ポイント又は電子クーポンの各々について、取得した前記ユーザ情報に対する各店舗の利用回数、又は各店舗についての評価提供情報に基づいて、流動ポイントを計算し、前記計算した流動ポイントを用いて、前記電子ポイント又は電子クーポンによる特典内容を決定し、前記決定した前記電子ポイント又は電子クーポンによる特典内容、及び前記電子ポイント又は電子クーポンに対応付けられた前記ユーザ情報の組み合わせの一覧を、前記利用側ユーザ端末へ送信する請求項２又は３の何れか１項記載のポイント管理装置。
【請求項９】
前記閲覧要求応答手段は、前記利用側ユーザ端末から、前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポンの各々について、前記電子ポイント又は電子クーポンに付与された前記利用可能店舗に対して予め設定された、日にち、曜日、又は時間帯毎のポイント倍率と、現時点の日にち、曜日、又は時間帯とに基づいて、前記電子ポイント又は電子クーポンによる特典内容を決定し、前記決定した前記電子ポイント又は電子クーポンによる特典内容の一覧を、前記利用側ユーザ端末へ送信する請求項１〜請求項６の何れか１項記載のポイント管理装置。
【請求項１０】
サービスポイント付与手段を更に含み、
前記ポイント記憶手段は、前記ユーザ情報の各々と対応付けて、各店舗で共通して利用可能なサービスポイント又はサービスクーポンを更に記憶し、
前記サービスポイント付与手段は、店舗側端末から、前記電子ポイント又は電子クーポンが利用されたことを示し、かつ、利用者を示すユーザ情報を含む利用実績情報を受信すると、前記ポイント記憶手段に記憶されている前記電子ポイント又は電子クーポンに対応付けられた前記ユーザ情報と、前記利用者を示すユーザ情報との各々に対して、前記サービスポイント又はサービスクーポンを付与するように、前記ポイント記憶手段に記憶されている前記サービスポイント又はサービスクーポンを更新する請求項２記載のポイント管理装置。
【請求項１１】
ユーザ情報の各々に対して、住所および各店舗の利用回数を記憶するユーザ記憶手段を更に含み、
前記サービスポイント付与手段は、店舗側端末から、前記利用実績情報を受信すると、前記利用者を示すユーザ情報について、前記ユーザ記憶手段から、前記ユーザ情報に対する住所、又は前記店舗側端末の店舗の利用回数を取得し、利用された前記電子ポイント又は電子クーポンについて、前記取得した前記ユーザ情報に対する住所又は前記店舗の利用回数に基づいて、前記サービスポイント又はサービスクーポンを計算し、前記利用者を示すユーザ情報に対して、前記計算したサービスポイント又はサービスクーポンを付与するように、前記ポイント記憶手段に記憶されている前記サービスポイント又はサービスクーポンを更新する請求項１０記載のポイント管理装置。
【請求項１２】
ユーザ情報の各々に対して、各店舗の利用回数、又は各店舗についての評価情報の提供に関する評価提供情報を記憶するユーザ記憶手段を更に含み、
前記サービスポイント付与手段は、店舗側端末から、前記利用実績情報を受信すると、前記ポイント記憶手段に記憶されている前記電子ポイント又は電子クーポンに対応付けられた前記ユーザ情報について、前記ユーザ記憶手段から、前記ユーザ情報に対する前記店舗側端末の店舗の利用回数、又は前記店舗の評価提供情報を取得し、利用された前記電子ポイント又は電子クーポンについて、前記取得した前記ユーザ情報に対する前記店舗の利用回数又は前記店舗の評価提供情報に基づいて、前記サービスポイント又はサービスクーポンを計算し、前記電子ポイント又は電子クーポンに対応付けられた前記ユーザ情報に対して、前記計算したサービスポイント又はサービスクーポンを付与するように、前記ポイント記憶手段に記憶されている前記サービスポイント又はサービスクーポンを更新する請求項１０記載のポイント管理装置。
【請求項１３】
前記サービスポイント付与手段は、店舗側端末から、前記利用実績情報を受信すると、前記ポイント記憶手段に記憶されている前記電子ポイント又は電子クーポンに対応付けられた前記ユーザ情報と、前記利用者を示すユーザ情報との各々に対して、予め設定された、日にち、曜日、又は時間帯毎のポイント倍率と、現時点の日にち、曜日、又は時間帯とに基づいて、前記サービスポイント又はサービスクーポンを計算し、前記ポイント記憶手段に記憶されている前記電子ポイント又は電子クーポンに対応付けられた前記ユーザ情報と、前記利用者を示すユーザ情報との各々に対して、前記計算したサービスポイント又はサービスクーポンを付与するように、前記ポイント記憶手段に記憶されている前記サービスポイント又はサービスクーポンを更新する請求項１０記載のポイント管理装置。
【請求項１４】
ユーザ端末から、前記ユーザ情報を前記グループへ登録することを要求するグループ更新要求を受信すると、前記グループ記憶手段に記憶されているグループを更新するグループ更新手段を更に含む請求項１〜請求項１３の何れか１項記載のポイント管理装置。
【請求項１５】
請求項１〜請求項１４の何れか１項記載のポイント管理装置と、
取得した前記電子ポイントまたは電子クーポンの前記配置要求、前記ポイント管理装置へ送信する配置側ユーザ端末と、
前記閲覧要求を前記ポイント管理装置へ送信し、前記ポイント管理装置から受信した前記電子ポイント又は電子クーポンの一覧を表示する利用側ユーザ端末と、
を含むポイント管理システム。
【請求項１６】
少なくとも１人のユーザ情報からなる少なくとも１つのグループを記憶するグループ記憶手段を含むコンピュータを、
配置側ユーザ端末から、利用可能店舗の位置情報が付与された電子ポイント又は電子クーポンを示す情報、及び利用可能なグループを示す情報を含む配置要求を受信したときに、前記グループと対応付けて、前記電子ポイント又は電子クーポンを、ポイント記憶手段に格納するポイント管理手段、及び
利用側ユーザ端末から、前記ユーザ情報を含む閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポンの一覧を、前記利用側ユーザ端末へ送信する閲覧要求応答手段
として機能させるためのプログラム。
【発明の詳細な説明】
【技術分野】
【０００１】
本発明は、ポイント管理装置、ポイント管理システム、及びプログラムに係り、特に、ユーザが所有する電子ポイント又は電子クーポンを管理するポイント管理装置、ポイント管理システム、及びプログラムに関する。
【背景技術】
【０００２】
従来より、多数のユーザに電子クーポンを配布する電子クーポン配布サーバが知られている（特許文献１）。この電子クーポン配置サーバのクーポン配置手段は、ユーザ端末からの配置要求に基づいて、電子クーポンを配置クーポン記憶手段に記憶する。また、クーポン配置手段は、ユーザ端末の位置する現在地情報と、電子クーポンとを対応付けて配置クーポン記憶手段に記憶する。また、電子クーポン配布サーバは、現在地位置を基準とした所定範囲内に配置された電子クーポンを、ユーザ端末に表示させる表示制御手段と、表示制御手段により電子クーポンを表示させたユーザ端末からの取得要求に基づいて取得要求をしたユーザ端末を所有するユーザに電子クーポンの配布を行うクーポン配布手段とを備える。
【０００３】
また、会員データに応じて発行する商品プレゼントや割引サービスを変更し、特定のパスワードを持ったものだけがポイントやクーポンを利用できる仕組みを取り入れることで、店舗が希望するターゲットに対してクーポンの発行ができるクーポンシステムが知られている（特許文献２）。
【０００４】
また、複数の店舗で共通して利用可能なポイントサービスを導入した場合において、ある店舗（クーポン発行店舗）で提供（発行）されたクーポシを付与したポイント券を他の店舗（ポイント券発行店舗）で発行し、このポイント券がクーポン発行店舗で実際に利用された（クーポンによって送客された）場合には、クーポン発行店舗からポイント券発行店舗に対して手数料を支払う仕組みが知られている（特許文献３）。
【先行技術文献】
【特許文献】
【０００５】
【特許文献１】特開２０１１−１２８７７４号公報
【特許文献２】特開２００２−２８８７４３号公報
【特許文献３】特開２０１０−１１７９５４号公報
【発明の概要】
【発明が解決しようとする課題】
【０００６】
上記の特許文献１では、電子クーポンの配布の利便性に焦点をあてているが、電子クーポン配布先を限定していないので、あるユーザの来店履歴などのプライベート情報が公開されてしまう。また、友人や家族からの情報でなくまったく見知らぬ人からの口コミであるため、内容の信憑性を利用者側で判断する必要がある。
【０００７】
上記の特許文献２では、会員データに応じて発行するプレゼントや割引サービスを選択しているが、かならずしも利用につながるとは限らない。
【０００８】
上記の特許文献３では、店舗間でのポイント共有は行われるが、ユーザ間でのポイント共有はされない。
【０００９】
本発明は、上記の事情を鑑みて成されたもので、ユーザが所属するグループ内で電子ポイント又は電子クーポンを共有することができるポイント管理装置、ポイント管理システム、及びプログラムを提供することを目的とする。
【課題を解決するための手段】
【００１０】
上記の目的を達成するために本発明に係るポイント管理装置は、少なくとも１人のユーザ情報からなる少なくとも１つのグループを記憶するグループ記憶手段と、配置側ユーザ端末から、利用可能店舗の位置情報が付与された電子ポイント又は電子クーポンを示す情報、及び利用可能なグループを示す情報を含む配置要求を受信したときに、前記グループと対応付けて、前記電子ポイント又は電子クーポンを、ポイント記憶手段に格納するポイント管理手段と、利用側ユーザ端末から、前記ユーザ情報を含む閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポンの一覧を、前記利用側ユーザ端末へ送信する閲覧要求応答手段と、を含んで構成されている。
【００１１】
本発明に係るプログラムは、少なくとも１人のユーザ情報からなる少なくとも１つのグループを記憶するグループ記憶手段を含むコンピュータを、配置側ユーザ端末から、利用可能店舗の位置情報が付与された電子ポイント又は電子クーポンを示す情報、及び利用可能なグループを示す情報を含む配置要求を受信したときに、前記グループと対応付けて、前記電子ポイント又は電子クーポンを、ポイント記憶手段に格納するポイント管理手段、及び利用側ユーザ端末から、前記ユーザ情報を含む閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポンの一覧を、前記利用側ユーザ端末へ送信する閲覧要求応答手段として機能させるためのプログラムである。
【００１２】
本発明によれば、ポイント管理手段によって、配置側ユーザ端末から、利用可能店舗の位置情報が付与された電子ポイント又は電子クーポンを示す情報、及び利用可能なグループを示す情報を含む配置要求を受信したときに、前記グループと対応付けて、前記電子ポイント又は電子クーポンを、ポイント記憶手段に格納する。
【００１３】
また、閲覧要求応答手段によって、利用側ユーザ端末から、前記ユーザ情報を含む閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポンの一覧を、前記利用側ユーザ端末へ送信する。
【００１４】
このように、配置側ユーザ端末から受信した、利用可能店舗の位置情報が付与された電子ポイント又は電子クーポンを、利用可能なグループと対応付けてポイント記憶手段に格納し、利用側ユーザ端末に対して、ユーザ情報を含むグループと対応付けられた前記電子ポイント又は電子クーポンの一覧を送信することにより、ユーザが所属するグループ内で電子ポイント又は電子クーポンを共有することができる。
【００１５】
本発明のポイント管理手段は、前記配置側ユーザ端末から、ユーザ情報を更に含む前記配置要求を受信したときに、前記グループ及び前記ユーザ情報と対応付けて、前記電子ポイント又は電子クーポンを、前記ポイント記憶手段に格納し、前記閲覧要求応答手段は、前記利用側ユーザ端末から前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポン及び前記電子ポイント又は電子クーポンに対応付けられた前記ユーザ情報の組み合わせの一覧を、前記利用側ユーザ端末へ送信するようにすることができる。これによって、ユーザの店舗利用に関する情報を、ユーザが所属するグループに限定して表示するようにすることができる。
【００１６】
本発明のポイント管理手段は、前記配置側ユーザ端末から、前記電子ポイント又は電子クーポンの利用可能店舗に対する評価情報を更に含む前記配置要求を受信したときに、前記グループ、前記ユーザ情報、及び前記評価情報と対応付けて、前記電子ポイント又は電子クーポンを、前記ポイント記憶手段に格納し、前記閲覧要求応答手段は、前記利用側ユーザ端末から前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポン、前記電子ポイント又は電子クーポンに対応付けられた前記ユーザ情報、及び前記評価情報の組み合わせの一覧を、前記利用側ユーザ端末へ送信するようにすることができる。これによって、ユーザの店舗に関する評価情報によって、店舗利用を促進することができる。
【００１７】
上記の電子ポイント又は電子クーポンには、有効期限が付与され、前記閲覧要求応答手段は、前記利用側ユーザ端末から前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポン及び前記電子ポイント又は電子クーポンに付与された有効期限の組み合わせの一覧を、前記利用側ユーザ端末へ送信するようにすることができる。このように、電子ポイント又は電子クーポンに有効期限が付与されている場合であっても、ユーザが所属するグループ内で電子ポイント又は電子クーポンを共有することにより、電子ポイント又は電子クーポンの有効利用が可能となる。
【００１８】
本発明のポイント管理装置は、前記利用側ユーザ端末から、前記電子ポイント又は電子クーポンを示す情報を含むポイント利用要求を受信したときに、前記電子ポイント又は電子クーポンを発行し、前記利用側ユーザ端末へ送信するポイント発行手段を更に含むようにすることができる。
【００１９】
本発明のポイント管理装置は、店舗側端末から、前記電子ポイント又は電子クーポンが利用されたことを示す利用実績情報を受信すると、前記ポイント記憶手段に記憶されている前記電子ポイント又は電子クーポンを更新するポイント利用更新手段を更に含むようにすることができる。
【００２０】
本発明のポイント管理装置は、ユーザ情報の各々に対して、住所および各店舗の利用回数を記憶するユーザ記憶手段を更に含み、前記閲覧要求応答手段は、前記利用側ユーザ端末から、現在位置情報を更に含む前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記ユーザ記憶手段から、前記ユーザ情報に対する住所および各店舗の利用回数を取得し、前記取得した前記電子ポイント又は電子クーポンの各々について、前記現在位置情報、又は取得した前記ユーザ情報に対する住所および各店舗の利用回数に基づいて、流動ポイントを計算し、前記計算した流動ポイントを用いて、前記電子ポイント又は電子クーポンによる特典内容を決定し、前記決定した前記電子ポイント又は電子クーポンによる特典内容の一覧を、前記利用側ユーザ端末へ送信するようにすることができる。これによって、電子ポイント又は電子クーポンを利用するユーザに応じて、電子ポイント又は電子クーポンによる特典内容を決定することができる。
【００２１】
本発明のポイント管理装置は、ユーザ情報の各々に対して、各店舗の利用回数、又は各店舗についての評価情報の提供に関する評価提供情報を記憶するユーザ記憶手段を更に含み、前記閲覧要求応答手段は、前記利用側ユーザ端末から前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記ユーザ記憶手段から、前記電子ポイント又は電子クーポンに対応付けられた前記ユーザ情報に対する各店舗の利用回数、又は各店舗についての評価提供情報を取得し、前記取得した前記電子ポイント又は電子クーポンの各々について、取得した前記ユーザ情報に対する各店舗の利用回数、又は各店舗についての評価提供情報に基づいて、流動ポイントを計算し、前記計算した流動ポイントを用いて、前記電子ポイント又は電子クーポンによる特典内容を決定し、前記決定した前記電子ポイント又は電子クーポンによる特典内容、及び前記電子ポイント又は電子クーポンに対応付けられた前記ユーザ情報の組み合わせの一覧を、前記利用側ユーザ端末へ送信するようにすることができる。これによって、電子ポイント又は電子クーポンを配置するユーザに応じて、電子ポイント又は電子クーポンによる特典内容を決定することができる。
【００２２】
本発明の閲覧要求応答手段は、前記利用側ユーザ端末から、前記閲覧要求を受信したときに、前記グループ記憶手段から、前記ユーザ情報を含むグループを取得し、前記ポイント記憶手段から、前記取得したグループと対応付けられた前記電子ポイント又は電子クーポンを取得し、前記取得した前記電子ポイント又は電子クーポンの各々について、前記電子ポイント又は電子クーポンに付与された前記利用可能店舗に対して予め設定された、日にち、曜日、又は時間帯毎のポイント倍率と、現時点の日にち、曜日、又は時間帯とに基づいて、前記電子ポイント又は電子クーポンによる特典内容を決定し、前記決定した前記電子ポイント又は電子クーポンによる特典内容の一覧を、前記利用側ユーザ端末へ送信するようにすることができる。これによって、電子ポイント又は電子クーポンの店舗に対して設定されたポイント倍率に応じて、電子ポイント又は電子クーポンによる特典内容を決定することができる。
【００２３】
本発明のポイント管理装置は、サービスポイント付与手段を更に含み、前記ポイント記憶手段は、前記ユーザ情報の各々と対応付けて、各店舗で共通して利用可能なサービスポイント又はサービスクーポンを更に記憶し、前記サービスポイント付与手段は、店舗側端末から、前記電子ポイント又は電子クーポンが利用されたことを示し、かつ、利用者を示すユーザ情報を含む利用実績情報を受信すると、前記ポイント記憶手段に記憶されている前記電子ポイント又は電子クーポンに対応付けられた前記ユーザ情報と、前記利用者を示すユーザ情報との各々に対して、前記サービスポイント又はサービスクーポンを付与するように、前記ポイント記憶手段に記憶されている前記サービスポイント又はサービスクーポンを更新するようにすることができる。これによって、電子ポイント又は電子クーポンを配置するユーザに対しても、サービスポイント又はサービスクーポンを付与することができる。
【００２４】
また、上記のポイント管理装置は、ユーザ情報の各々に対して、住所および各店舗の利用回数を記憶するユーザ記憶手段を更に含み、前記サービスポイント付与手段は、店舗側端末から、前記利用実績情報を受信すると、前記利用者を示すユーザ情報について、前記ユーザ記憶手段から、前記ユーザ情報に対する住所、又は前記店舗側端末の店舗の利用回数を取得し、利用された前記電子ポイント又は電子クーポンについて、前記取得した前記ユーザ情報に対する住所および前記店舗の利用回数に基づいて、前記サービスポイント又はサービスクーポンを計算し、前記利用者を示すユーザ情報に対して、前記計算したサービスポイント又はサービスクーポンを付与するように、前記ポイント記憶手段に記憶されている前記サービスポイント又はサービスクーポンを更新するようにすることができる。これによって、電子ポイント又は電子クーポンを利用するユーザに応じて、サービスポイント又はサービスクーポンを付与することができる。
【００２５】
また、上記のポイント管理装置は、ユーザ情報の各々に対して、各店舗の利用回数、又は各店舗についての評価情報の提供に関する評価提供情報を記憶するユーザ記憶手段を更に含み、前記サービスポイント付与手段は、店舗側端末から、前記利用実績情報を受信すると、前記ポイント記憶手段に記憶されている前記電子ポイント又は電子クーポンに対応付けられた前記ユーザ情報について、前記ユーザ記憶手段から、前記ユーザ情報に対する前記店舗側端末の店舗の利用回数、又は前記店舗の評価提供情報を取得し、利用された前記電子ポイント又は電子クーポンについて、前記取得した前記ユーザ情報に対する前記店舗の利用回数又は前記店舗の評価提供情報に基づいて、前記サービスポイント又はサービスクーポンを計算し、前記電子ポイント又は電子クーポンに対応付けられた前記ユーザ情報に対して、前記計算したサービスポイント又はサービスクーポンを付与するように、前記ポイント記憶手段に記憶されている前記サービスポイント又はサービスクーポンを更新するようにすることができる。これによって、電子ポイント又は電子クーポンを配置するユーザに応じて、サービスポイント又はサービスクーポンを付与することができる。
【００２６】
また、上記のサービスポイント付与手段は、店舗側端末から、前記利用実績情報を受信すると、前記ポイント記憶手段に記憶されている前記電子ポイント又は電子クーポンに対応付けられた前記ユーザ情報と、前記利用者を示すユーザ情報との各々に対して、予め設定された、日にち、曜日、又は時間帯毎のポイント倍率と、現時点の日にち、曜日、又は時間帯とに基づいて、前記サービスポイント又はサービスクーポンを計算し、記ポイント記憶手段に記憶されている前記電子ポイント又は電子クーポンに対応付けられた前記ユーザ情報と、前記利用者を示すユーザ情報との各々に対して、前記計算したサービスポイント又はサービスクーポンを付与するように、前記ポイント記憶手段に記憶されている前記サービスポイント又はサービスクーポンを更新するようにすることができる。これによって、店舗が利用された日にち、曜日、又は時間帯に応じて、サービスポイント又はサービスクーポンを付与することができる。
【００２７】
本発明に係るポイント管理装置は、ユーザ端末から、前記ユーザ情報を前記グループへ登録することを要求するグループ更新要求を受信すると、前記グループ記憶手段に記憶されているグループを更新するグループ更新手段を更に含むようにすることができる。
【００２８】
本発明に係るポイント管理システムは、上記のポイント管理装置と、取得した前記電子ポイントまたは電子クーポンの前記配置要求、前記ポイント管理装置へ送信する配置側ユーザ端末と、前記閲覧要求を前記ポイント管理装置へ送信し、前記ポイント管理装置から受信した前記電子ポイント又は電子クーポンの一覧を表示する利用側ユーザ端末と、を含んで構成されている。
【００２９】
本発明のプログラムは、記憶媒体に格納して提供することができる。
【発明の効果】
【００３０】
以上説明したように、本発明のポイント管理装置、ポイント管理システム、及びプログラムによれば、配置側ユーザ端末から受信した、利用可能店舗の位置情報が付与された電子ポイント又は電子クーポンを、利用可能なグループと対応付けてポイント記憶手段に格納し、利用側ユーザ端末に対して、ユーザ情報を含むグループと対応付けられた前記電子ポイント又は電子クーポンの一覧を送信することにより、ユーザが所属するグループ内で電子ポイント又は電子クーポンを共有することができる、という効果が得られる。
【図面の簡単な説明】
【００３１】
【図１】本発明の実施の形態に係るポイント管理システムの構成を示す概略図である。
【図２】本発明の実施の形態に係る配置側ユーザ端末のユーザＩＤ記憶部の記憶内容を示す図である。
【図３】本発明の実施の形態に係る配置側ユーザ端末のグループ記憶部の記憶内容を示す図である。
【図４】本発明の実施の形態に係る配置側ユーザ端末のタッチパネルディスプレイに表示される画面を示す図である。
【図５】本発明の実施の形態に係る利用側ユーザ端末のタッチパネルディスプレイに表示される画面を示す図である。
【図６】本発明の実施の形態に係るポイント管理サーバのユーザ記憶部の記憶内容を示す図である。
【図７】本発明の実施の形態に係るポイント管理サーバのグループ記憶部の記憶内容を示す図である。
【図８】店舗毎のポイントシステムの設定を示す図である。
【図９】店舗毎のポイント倍率の設定を示す図である。
【図１０】ポイントに応じた特典内容の設定を示す図である。
【図１１】ポイントに応じた特典内容の設定を示す図である。
【図１２】グループ毎に保有する固定ポイントによる特典内容を示す図である。
【図１３】サービスポイントのポイント倍率の設定を示す図である。
【図１４】ポイント管理システムによるサービスのイメージ図である。
【図１５】本発明の実施の形態に係るポイント管理サーバのポイント管理処理ルーチンの内容を示すフローチャートである。
【図１６】本発明の実施の形態に係るポイント管理サーバの特典内容計算処理ルーチンの内容を示すフローチャートである。
【図１７】本発明の実施の形態に係るポイント管理サーバのサービスポイント計算処理ルーチンの内容を示すフローチャートである。
【図１８】本発明の実施の形態に係るポイント管理サーバのグループ更新処理ルーチンの内容を示すフローチャートである。
【発明を実施するための形態】
【００３２】
以下、図面を参照して本発明の実施の形態を詳細に説明する。なお、本実施の形態では、ユーザが所属するグループ内で電子ポイント又は電子クーポンを共有するポイント管理システムに、本発明を適用した場合を例に説明する。
【００３３】
図１に示すように、本発明の実施の形態に係るポイント管理システム１０は、店舗から獲得した電子ポイント又は電子クーポンを配置するユーザが所有する配置側ユーザ端末１２と、電子ポイント又は電子クーポンを利用するユーザが所有する利用側ユーザ端末１４と、各ユーザの電子ポイント又は電子クーポンを管理するポイント管理サーバ１６と、ポイントサービスを利用する各店舗内に設置された店舗側端末１８とを備えている。
【００３４】
配置側ユーザ端末１２、利用側ユーザ端末１４、ポイント管理サーバ１６、及び店舗側端末１８は、インターネットなどのネットワーク２０を介して接続されている。
【００３５】
店舗側端末１８は、ポイント管理サーバ１６との通信機能を備えた装置であり、レジに内蔵されていても良いし、レジとは別の専用機械でも良い。店舗側端末１８は、ユーザの店舗利用に応じて、店員による操作を受け付けて、電子ポイント又は電子クーポンの送信要求を、ポイント管理サーバ１６へ送信する。また、店舗側端末１８は、ユーザの電子ポイント利用又は電子クーポン利用に応じて、店員による操作を受け付けて、電子ポイント又は電子クーポンの利用実績情報を、ポイント管理サーバ１６へ送信する。
【００３６】
配置側ユーザ端末１２及び利用側ユーザ端末１４は、携帯電話、ＰＤＡ（Personal Digital Assistants）端末、あるいはノート型・ブック型コンピュータ端末等からなる。なお、配置側ユーザ端末１２及び利用側ユーザ端末１４について、スマートフォンを一例として以下、説明する。配置側ユーザ端末１２は、ＣＰＵ、ＲＯＭ、ＲＡＭ、及びＨＤＤを備えたコンピュータで構成されており、ＨＤＤには、サイトからダウンロードし、かつ、インストールした、電子ポイント又は電子クーポンを共有するための共有アプリケーションソフトが記憶されている。配置側ユーザ端末１２は、機能的には次に示すように構成されている。配置側ユーザ端末１２は、図１に示すように、通信部３０と、ユーザＩＤ記憶部３２と、グループ記憶部３４と、ポイント配置部３６と、サービスポイント管理部３８と、を含んで構成されている。
【００３７】
通信部３０は、ネットワーク２０を介した通信を行う。
【００３８】
ユーザＩＤ記憶部３２は、ユーザが所有するユーザＩＤを記憶している。所有するユーザＩＤは、共有アプリケーションにおけるログイン時のユーザＩＤで紐づけられたものである。また、ユーザＩＤ記憶部３２は、予め登録された、ユーザ名、ユーザが所属するグループ、自宅住所、クレジットＩＤもしくはＩＣカードなどを記憶している（図２参照）。なお、ユーザが所属するグループは複数であってもよい。
【００３９】
グループ記憶部３４は、図３に示すように、ユーザが所属する各グループに関する情報を記憶している。
【００４０】
ポイント配置部３６は、ある店舗で獲得した位置情報つき電子ポイント又は電子クーポンを共有する場合、タッチパネルディスプレイ（図示省略）に、図４に示すような画面を表示し、タッチパネルディスプレイに対するユーザの操作に従って、通信部３０を介して、ポイント管理サーバ１６に対して、位置情報つき電子ポイント又は電子クーポンを示す情報、及び｛所有するユーザＩＤ、利用可能グループ｝の２つの情報を含む配置要求を送信する。
【００４１】
利用可能グループとは、上記図４のようにポイントを配置する際にユーザ自身が指定するグループである。上記図４では、斜線で色づけされた部分（グループ１とグループ２）が、選択された利用可能グループを表している。利用可能なグループを複数指定しても良い。
【００４２】
位置情報つき電子ポイント又は電子クーポンとは、利用できる店舗の位置情報があらかじめ付与されている電子ポイント又は電子クーポンを指す。店舗の位置情報が、電子ポイント又は電子クーポンに予め付与されているため、ユーザが位置を指定する必要はない。なお、あらかじめ付与された店舗以外の位置に電子ポイントや電子クーポンを配置したい場合には、地図や郵便番号や住所などからユーザが配置位置を検索し、配置位置を指定し、電子ポイント又は電子クーポンに付与されている店舗の位置情報を、指定した配置位置に変更するようにしてもよい。例えば、自宅で出前を取る場合、すし屋のクーポンやピザ屋のクーポンに、自宅の位置情報を付与しておけば、後述する図５のようなリストからどの店舗から出前をとるかを簡単に選択することができる。
【００４３】
また、電子ポイント又は電子クーポンには、有効期限が付与されている。
【００４４】
サービスポイント管理部３８は、当該ユーザが配置した電子ポイント又は電子クーポンが、他のユーザによって利用されることにより当該ユーザに対して付与されたサービスポイントを示す情報を、通信部３０を介してポイント管理サーバ１６から受信して、ユーザが保有するサービスポイントを管理する。ここで、サービスポイントとは、各店舗で共通して利用可能なポイントである。
【００４５】
利用側ユーザ端末１４は、ＣＰＵ、ＲＯＭ、ＲＡＭ、及びＨＤＤを備えたコンピュータで構成されており、ＨＤＤには、サイトからダウンロードし、かつ、インストールした、電子ポイント又は電子クーポンを共有するための共有アプリケーションソフトが記憶されている。利用側ユーザ端末１４は、機能的には次に示すように構成されている。利用側ユーザ端末１４は、上記図１に示すように、通信部４０と、位置情報取得部４２と、ユーザＩＤ記憶部４４と、グループ記憶部４６と、ポイント表示部４８と、ポイント利用部５０と、サービスポイント管理部５２と、を含んで構成されている。
【００４６】
通信部４０は、ネットワーク２０を介した通信を行う。
【００４７】
位置情報取得部４２は、ＧＰＳセンサを用いて、自端末の位置情報を取得する。
【００４８】
ユーザＩＤ記憶部４４は、ユーザＩＤ記憶部３２と同様に、ユーザが所有するユーザＩＤ、ユーザ名、ユーザが所属するグループ、自宅住所、クレジットＩＤもしくはＩＣカードなどを記憶している。グループ記憶部４６は、グループ記憶部３４と同様に、ユーザが所属する各グループに関する情報を記憶している。
【００４９】
ポイント表示部４８は、タッチパネルディスプレイに対するユーザの操作に従って、ポイント管理サーバ１６に対して、位置情報取得部４２によって取得した自端末の位置情報及びユーザＩＤを含む閲覧要求を、通信部４０を介して送信する。ポイント表示部４８は、ポイント管理サーバ１６から送信された、当該ユーザが所属するグループが利用できる電子ポイント又は電子クーポンであって、当該ユーザが指定した範囲に位置する店舗で利用可能な電子ポイント又は電子クーポンの一覧を、通信部４０を介して取得し、タッチパネルディスプレイに、図５に示すような画面を表示する。ポイント利用部５０は、タッチパネルディスプレイに対するユーザの操作に従って、利用したい電子ポイント又は電子クーポンを表すポイント利用要求を、ポイント管理サーバ１６に対して、通信部４０を介して送信し、発行された、利用要求の対象となる電子ポイント又は電子クーポンを、ポイント管理サーバ１６から受信して、タッチパネルディスプレイに表示する。ユーザは、タッチパネルディスプレイに表示された情報を、店舗の店員に見せることにより、電子ポイント又は電子クーポンの特典内容を得る。
【００５０】
サービスポイント管理部５２は、当該ユーザが電子ポイント又は電子クーポンを利用したことにより当該ユーザに対して付与されたサービスポイントを示す情報を、通信部４０を介してポイント管理サーバ１６から受信して、ユーザが保有するサービスポイントを管理する。
【００５１】
ポイント管理サーバ１６は、ＣＰＵ、ＲＯＭ、ＲＡＭ、及びＨＤＤを備えたコンピュータで構成されており、ＨＤＤには、後述するポイント管理処理ルーチン、サービスポイント計算処理ルーチン、及びグループ更新処理ルーチンに対応するプログラムが記憶されている。
【００５２】
ポイント管理サーバ１６は、機能的には次に示すように構成されている。上記図１に示すように、ポイント管理サーバ１６は、通信部６０、ユーザ記憶部６２、グループ記憶部６４、ポイント記憶部６６、ポイント管理部６８、ポイント発行部７０、サービスポイント管理部７２、及びグループ管理部７４を備えている。ポイント管理部６８は、ポイント管理手段の一例であり、ポイント発行部７０は、閲覧要求応答手段、ポイント発行手段、ポイント利用更新手段の一例であり、サービスポイント管理部７２は、サービスポイント付与手段の一例であり、グループ管理部７４は、グループ更新手段の一例である。
【００５３】
通信部６０は、ネットワーク２０を介した通信を行う。
【００５４】
ユーザ記憶部６２は、図６に示すように、各ユーザのユーザＩＤ、ユーザ名、所属するグループを記憶している。
【００５５】
また、ユーザ記憶部６２には、更に、各ユーザについて、店舗毎に、当該店舗での過去の利用回数、当該店舗に対する口コミ内容（口コミの文字数、口コミの写真数）が記憶されている。なお、当該店舗に対する口コミ内容（口コミの文字数、口コミの写真数）が、評価提供情報の一例である。
【００５６】
グループ記憶部６４は、図７に示すように、各グループのグループＩＤ、グループ代表者のユーザＩＤ、所属するグループメンバーのユーザＩＤを記憶している。
【００５７】
ポイント記憶部６６は、配置側ユーザ端末１２によって配置された、電子ポイント及び電子クーポンを記憶している。また、ポイント記憶部６６は、電子ポイント及び電子クーポンの各々に対して、付与されている店舗位置情報、利用可能なグループ、配置したユーザのユーザＩＤとユーザ名、配置したユーザによる当該店舗に対しての評価情報、付与されている有効期限を記憶している。
【００５８】
また、ポイント記憶部６６は、各ユーザに対して与えられたサービスポイントを記憶している。
【００５９】
ポイント管理部６８は、通信部６０により受信した、配置側ユーザ端末１２から送信された、位置情報つき電子ポイント又は電子クーポンを示す情報、｛所有するユーザＩＤ、利用可能グループ｝の２つの情報、及び電子ポイント又は電子クーポンが利用できる店舗に対する評価情報を含む配置要求を受け付けて、位置情報つき電子ポイント又は電子クーポンを示す情報、｛所有するユーザＩＤ、利用可能グループ｝の２つの情報、及び電子ポイント又は電子クーポンが利用できる店舗に対する評価情報を、ポイント記憶部６６に格納する。
【００６０】
ポイント発行部７０は、通信部６０により受信した、利用側ユーザ端末１４から送信された利用側ユーザ端末１４の位置情報及びユーザＩＤを含む閲覧要求を受け付けると、ユーザ記憶部６２から、当該ユーザＩＤが所属するグループを特定する。そして、ポイント発行部７０は、ポイント記憶部６６から、特定したグループで利用可能な電子ポイント又は電子クーポンであって、当該利用側ユーザ端末１４の位置情報からの距離が所定範囲内となる位置情報が付与された電子ポイント又は電子クーポンを検索する。例えば、閲覧要求に、「現在地から２ｋｍ以内」や「Ａ駅から５００ｍ以内」などの範囲指定が含まれ、指定した範囲に位置する店舗の電子ポイント又は電子クーポンを検索する。
【００６１】
ポイント発行部７０は、検索した電子ポイント又は電子クーポンの各々について、特典内容となるポイントを計算する。ポイントの計算方法については後で詳しく記載する。
【００６２】
ポイント発行部７０は、検索した電子ポイント又は電子クーポンの各々について特典内容をすべて計算したら、検索した電子ポイント又は電子クーポンの一覧を、利用側ユーザ端末１４へ送信し、利用側ユーザ端末１４に、検索した電子ポイント又は電子クーポンの一覧を表示させる。
【００６３】
表示例を上記図５に示す。電子ポイント又は電子クーポンの一覧表示では、電子ポイント又は電子クーポンの各々について、利用可能な店舗の位置情報、特典内容、ポイント配置者のユーザ名、ポイント配置者による当該店舗の評価情報、電子ポイント又は電子クーポンの有効期限の組み合わせが表示される。また、一覧表示について、「現在地から近い順にソート」したり、「駅から近い順にソート」したり、「飲食ジャンルごとに表示する」などの方法があり、利用側ユーザ端末１４のユーザが自由に指定できるようにしてもよい。
【００６４】
利用側ユーザ端末１４では、電子ポイント又は電子クーポンの一覧表示に対して、利用したい電子ポイント又は電子クーポンが選択される。
【００６５】
ポイント発行部７０は、通信部６０により受信した、利用側ユーザ端末１４から送信された電子ポイント又は電子クーポンのポイント利用要求があった場合は、利用要求の対象となる電子ポイント又は電子クーポンについて、特典内容を得るための電子ポイント又は電子クーポンを発行して、ポイント利用要求を送信した利用側ユーザ端末１４に配信する。
【００６６】
ポイント発行部７０は、実際に店舗でポイントを利用したという情報（利用実績情報）を、店舗側端末１８から受信すると、ポイント利用結果を反映するように、ポイント記憶部６６の内容を更新する。ポイントを発行したものの、利用側ユーザ端末１４でポイントが利用されなかった場合には、ポイント記憶部６６の内容は更新されない。
【００６７】
次に、ポイント発行部７０によるポイントの計算方法について説明する。
【００６８】
まず、ポイント記憶部６６には、図８に示すように、各店舗のポイントシステムが、「流動ポイント」及び「固定ポイント」の何れであるかが登録されており、ポイント計算対象の店舗のポイントシステムが「流動ポイント」であるか、又は「固定ポイント」であるか調べる。ポイントシステムが「流動ポイント」の場合、ポイントを利用するユーザに関する情報｛当該店舗での過去の利用回数、自宅からの距離、現在地からの距離｝、ポイントを配置したユーザに関する情報｛当該店舗の利用回数、口コミ内容｝、及び当該店舗が「来店日、来店曜日、来店時間」に応じて設定したポイント倍率に基づき、以下の式に従って、流動ポイントを計算する。
【００６９】
流動ポイント＝ｆ（ｘ）＊ｆ（ｙ）＊ｆ（ｚ）
【００７０】
ただし、ｆ（ｘ）は、ポイントを利用するユーザに関する情報に基づいて計算される値であり、ｆ（ｙ）は、ポイントを配置したユーザに関する情報に基づいて計算される値であり、ｆ（ｚ）は、ポイント倍率である。
【００７１】
まず、以下に、ポイントを利用するユーザに関する情報｛当該店舗での過去の利用回数、自宅からの距離、現在地からの距離｝に基づいて計算される値ｆ（ｘ）の計算式を示す。
【００７２】
ポイントを利用するユーザの過去の利用回数＝０の場合、以下の式に従って、ポイントを利用するユーザに関する情報に基づいて計算される値ｆ（ｘ）が計算される。
【００７３】
ｆ（ｘ）＝Ｎｘ×自宅からの距離×現在地からの距離
【００７４】
閾値ｘ≧ポイントを利用するユーザの過去の利用回数≧１の場合、以下の式に従って、ポイントを利用するユーザに関する情報に基づいて計算される値ｆ（ｘ）が計算される。
【００７５】
ｆ（ｘ）＝１／過去の利用回数×自宅からの距離×現在地からの距離
【００７６】
ポイントを利用するユーザの過去の利用回数＞閾値ｘの場合、以下の式に従って、ポイントを利用するユーザに関する情報に基づいて計算される値ｆ（ｘ）が計算される。
【００７７】
ｆ（ｘ）＝Ｍｘ×自宅からの距離×現在地からの距離
【００７８】
以上のように、ポイントを利用するユーザの当該店舗への利用回数が０回の場合（つまり、今回の来店が初めての場合）には、値ｆ（ｘ）は、自宅からの距離（ｋｍ）と現在地からの距離（ｋｍ）のＮx倍とする。また、ポイントを利用するユーザの当該店舗への利用回数が閾値以上の場合（つまり、ポイントを利用するユーザが常連の場合）には、値ｆ（ｘ）は、自宅からの距離（ｋｍ）と現在地からの距離（ｋｍ）のＭx倍とする。その他の場合（１回以上間値未満の場合）には、値ｆ（ｘ）は、ポイントは自宅からの距離（ｋｍ）現在地からの距離（ｋｍ）の来店回数分の１にする。
【００７９】
上記の計算式により、初回の来店や常連客の場合にはよりポイントが多くつくようにすることで、新規顧客の増加やリピート率の向上が見込める。なお、「１回以上閾値未満」の１回については２回や３回に変更し、初め来店の何回かはポイントを高くすることで、新規顧客の取り込みをより重視するという方法も考えられる。
【００８０】
なお、自宅からの距離には、利用側ユーザ端末１４が持っている自宅情報を、閲覧要求に含めるようにして、利用すればよい。
【００８１】
次に、ポイントを配置したユーザに関する情報｛当該店舗の利用回数、口コミの内容｝に基づいて計算される値ｆ（ｙ）の計算式を示す。
【００８２】
ポイントを配置したユーザの過去の利用回数＝０の場合である場合、以下の式に従って、ポイントを配置するユーザに関する情報に基づいて計算される値ｆ（ｙ）が計算される。
【００８３】
ｆ（ｙ）＝Ｎｙ×口コミの文字数×口コミの写真数
【００８４】
閾値ｙ≧ポイントを保有していたユーザの過去の利用回数≧１の場合、以下の式に従って、ポイントを配置するユーザに関する情報に基づいて計算される値ｆ（ｙ）が計算される。
【００８５】
ｆ（ｙ）＝１／過去の利用回数×口コミの文字数×口コミの写真数
【００８６】
ポイントを保有していたユーザの過去の利用回数＞閾値ｙの場合、以下の式に従って、ポイントを配置するユーザに関する情報に基づいて計算される値ｆ（ｙ）が計算される。
【００８７】
ｆ（ｙ）＝Ｍｙ×口コミの文字数×口コミの写真数
【００８８】
上記の計算式が示す通り、ポイント配置者の当該店舗の来店回数によってポイントを変化させ、新規顧客や常連客の仲間を優遇するごとで、新規顧客の増加やリピート率の向上を図る。また、口コミの文字数や写真の数によってポイントを変えることで、丁寧な口コミの記載を促すことができる。
【００８９】
さらに、図９に、当該店舗が「来店日、来店曜日、ご来店時間」に応じて設定したポイント倍率ｆ（ｚ）の例を示す。上記図９の例では、そば屋の例を示しており、年越しそばで混雑する年末や平日のランチの時間はポイントを少なくし、その他の時間はポイントを多くするように、ポイント倍率が設定されている。こうすることで、客の分散をはかることができる。
【００９０】
上記のように計算された値ｆ（ｘ）、ｆ（ｙ）、ｆ（ｚ）を掛け合わせた流動ポイントを、図１０、図１１のように、店舗毎のポイント設定に照らし合わせて、実際に受けられる特典内容決定する。例えば流動ポイントが８０ポイントになった場合、上記図１０の店舗では流動ポイントによる特典内容「＋１００円割引」となる。
【００９１】
この流動ポイントによる特典内容を、固定ポイントによる特典内容と足し合わせた結果が、ユーザが受けられる電子ポイント又は電子クーポンの特典内容となる。例えば、図１２から「グループＩＤ＝２４１５２６０、店舗ＩＤ＝１１００３１」の保有固定ポイントによる特典内容は「５０円割引」であるため、流動ポイントによる特典内容「１００円割引」を足し合わせて、１５０円割引が、特典内容として得られるようになる。
【００９２】
また、当該店舗のポイントシステムが「固定ポイント」の場合には、流動ポイントは計算せず、図１２記載の保有固定ポイントによる特典内容をそのまま出力する。
【００９３】
例えば、ポイントシステムとして「固定ポイント」を設定している店舗の例では、「固定ポイント＝来店ポイント１倍」が設定される。上記図８に示すように、店舗ＩＤ＝１１００３３では、ポイントシステムは固定ポイントであり、「来店ポイント１倍」と設定される。来店ポイントとは、例えば買い物３００円ごとにポイントが１ポイントたまり、３０ポイントたまった時点でサービスが受けられるようなポイントを指す。来店ポイントが共有できない場合は、例えば、旅先の北海道でポイントを保有しても、有効期限内に再度その店に来店できずポイントを失効してしまう状況があったが、グループで共有すれば、ポイントを利用するユーザからすればすでに他のグループのメンバーが貯めたポイントを有効活用できるというメリットがある。また、店舗からすればグループ内でポイントを共有してもらうことで、新規顧客の増加が期待できるというメリットがある。ポイントを保有していたユーザにとっても、いずれ失効してしまうポイントを友人や家族などのグループのメンバーが使えることは人間関係の向上などに役立つため、これが本システムの利用モチベーションとなり利用頻度が上がると考えられる。
【００９４】
次に、サービスポイントについて説明する。
【００９５】
ポイント記憶部６６は、ユーザ情報の各々と対応付けて、各店舗で共通して利用可能なサービスポイントを更に記憶している。
【００９６】
サービスポイント管理部７２は、店舗側端末１８から、電子ポイント又は電子クーポンが利用されたことを示し、かつ、利用者を示すユーザ情報を含む利用実績情報を受信すると、ポイント記憶部６６に記憶されている前記電子ポイント又は電子クーポンに対応付けられた、ポイント配置者であるユーザと、ポイント利用者であるユーザとの各々に対して、サービスポイントを計算し、計算したサービスポイントを付与するように、ポイント記憶部６６に記憶されているサービスポイントを更新する。
【００９７】
上記で述べた電子ポイントや電子クーポンは、各店舗ごとのサービスであったが、サービスポイントはサービス管理会社が一括して管理し、複数の店舗で共通に使えるポイントをいう。サービスポイントは、上記で述べた電子ポイントや電子クーポンの流動ポイントと同様に、ポイントを利用するユーザに関する情報｛当該店舗での過去の利用回数、自宅からの距離、現在地からの距離｝、ポイントを配置したユーザに関する情報｛当該店舗の利用回数、口コミ内容｝、及び「来店日、来店曜日、来店時間」に応じて設定したポイント倍率に基づいて計算される。ポイントを利用するユーザに関する情報に基づいて計算される値ｆ（ｘ）、ポイントを配置したユーザに関する情報に基づいて計算される値ｆ（ｙ）は、電子ポイントと同様に計算される。ポイント倍率についても基本的には電子ポイントと同様だが、各店舗ごとに内容が異なるのではなく、図１３に示すようにサービスポイント管理会社が一括して内容を決定している。また、ポイント利用者だけでなく、ポイント配置者もポイントを獲得できるという点が電子ポイントと異なる。これにより、ポイント利用者だけでなくポイント配置者にも直接的なメリットが生まれる。
【００９８】
グループ管理部７４は、上記図８に示すようにグループ記憶部６４に記憶されている情報に基づいて、グループに属するユーザ情報を管理する。新規のユーザ登録の場合には、グループ管理部７４は、追加を希望するユーザのユーザ端末から、メンバー登録を希望するグループを示すグループ情報を含むグループ更新要求を受信すると、グループ記憶部６４から、当該グループのグループ代表者を特定し、特定したグループ代表者に承認を依頼する。グループ代表者が承認すればグループ管理部７４は、追加を希望するユーザを当該グループのメンバーとして追加するように、グループ記憶部６４の内容を更新する。
【００９９】
配置側ユーザ端末１２及び利用側ユーザ端末１４の各々でも、グループ記憶部６４から情報を受け取り、各ユーザが属するグループの代表者の情報（図３参照）と、自分と同じグループに属するメンバーの最新情報（図６参照）を閲覧できる。
【０１００】
グループ代表者や既にグループに入っているメンバーからの招待する方法も考えられる。また、ユーザが承認する場合には、他のソーシャルネットワークサービスに設定されたグループを獲得し、グループとして設定することもできる。
【０１０１】
また、本実施の形態のポイント管理システム１０のサービスとお金の流れについて説明する。
【０１０２】
ポイント管理システム１０のサービスとお金の流れを図１４に示す。ポイント管理サーバ１６の管理会社は、店舗から契約金を受け取り、ポイント管理システム１０によるサービスを提供する。契約金は登録時に支払われる形でもよいし、ユーザがサービスを利用した歩合での徴収でもよい。その一部はサービスポイントとしてユーザに還元される。
【０１０３】
また、店舗はポイントを利用するユーザが実際に店舗を利用して商品などを購入することにより利益を得る。ユーザへの割引やポイント管理サーバ１６の管理会社への支払があるが、ポイント管理システム１０の導入によって多くのユーザが来店することにより収益向上が見込まれる。
【０１０４】
次に、本発明の実施の形態に係るポイント管理システム１０の作用について説明する。
【０１０５】
まず、ユーザが電子ポイント又は電子クーポンを獲得する。電子ポイント又は電子クーポンを獲得する方法には大きく２種類がある。ひとつは、実際に店舗を利用することにより電子ポイント又は電子クーポンを獲得する方法であり、もうひとつは広告などから電子ポイント又は電子クーポンを獲得する方法である。
【０１０６】
まず、店舗を利用することにより電子ポイント又は電子クーポンを獲得する方法について説明する。
【０１０７】
まず、あるユーザがある店舗を利用し、所定のアプリケーションクレジットカードやＩＣカードで支払いをすると、店舗側の店員が、店舗側端末１８を操作して、ユーザＩＤと支払い情報を含む、電子ポイント又は電子クーポンの送信要求が、店舗側端末１８からポイント管理サーバ１６に送られる。
【０１０８】
ポイント管理サーバ１６では、店舗側端末１８からユーザＩＤと支払い情報を含む電子ポイント又は電子クーポンの送信要求を受信すると、当該店舗で利用できる、位置情報付きの電子ポイントもしくは電子クーポンの固定ポイントの情報を、当該ユーザＩＤに対応する配置側ユーザ端末１２に送信する。ユーザは、電子ポイントや電子クーポンを共有する場合には、配置側ユーザ端末１２の表示画面（上記図４参照）に対して操作を行うことにより、ポイント管理サーバ１６に、位置情報つき電子ポイント又は電子クーポンを示す情報、及び｛所有するユーザＩＤ、利用可能グループ｝の２つの情報を送信する。
【０１０９】
配置側ユーザ端末１２が車載端末である例としては主に、ユーザがガソリンスタンドでの給油やドライブスルーを利用する場合などがある。ユーザから店舗への支払はクレジットカードやＩＣカードの他に、ＩＣチップの埋め込まれた車のキ−を利用する方法や、自動車ナンバープレートとクレジットカードがあらかじめ紐づけされている場合は自動車のナンバープレートの自動読み取りによる支払などの方法がある。
【０１１０】
次に、広告などから電子ポイント又は電子クーポンを獲得する方法について説明する。
【０１１１】
店舗の新規オープンや売り出しなどで広告を配布する場合、店舗は、広告に獲得できる電子ポイント又は電子クーポンの情報を埋め込んだＱＲコード（登録商標）やクーポンＩＤを併記しておく。
【０１１２】
ユーザがその広告を共有する場合には、広告のＱＲコード（登録商標）を、配置側ユーザ端末１２で読み取ったり、アプリケーションからクーポンＩＤを入力して、ポイント管理サーバ１６に対して、位置情報つき電子ポイント又は電子クーポンを示す情報、及び｛所有するユーザＩＤ、利用可能グループ｝の２つの情報を含む配置要求を送信する。
【０１１３】
ポイント管理サーバ１６は、通信部６０により受信した、配置側ユーザ端末１２から送信された、位置情報つき電子ポイント又は電子クーポンを示す情報、及び｛所有するユーザＩＤ、利用可能グループ｝の２つの情報を含む配置要求を受信すると、ポイント管理部６８によって、受信した情報は、ポイント記憶部６６に格納される。
【０１１４】
そして、ポイント管理サーバ１６において、図１５に示すポイント管理処理ルーチンが実行される。
【０１１５】
まず、ステップ１００において、ポイント利用者の利用側ユーザ端末１４から、閲覧要求を受信したか否かを判定する。ここで、ユーザが、利用側ユーザ端末１４を操作して、利用側ユーザ端末１４から、自端末の位置情報、ユーザＩＤ、及び店舗検索範囲を含む閲覧要求を、ポイント管理サーバ１６へ送信し、ポイント管理サーバ１６によって受信されると、ステップ１０２へ進む。
【０１１６】
ステップ１０２では、ポイント記憶部６６から、閲覧要求に含まれるユーザＩＤが所属するグループが利用可能な電子ポイント又は電子クーポンであって、かつ、利用側ユーザ端末１４の現在位置から、閲覧要求において指定された店舗検索範囲内に存在する店舗位置情報が付与された電子ポイント又は電子クーポンを検索する。
【０１１７】
ステップ１０４では、上記ステップ１０２で検索された電子ポイント又は電子クーポンのうちの、計算対象の電子ポイント又は電子クーポンについて、特典内容を計算する。
【０１１８】
次のステップ１０６では、上記ステップ１０４で検索された電子ポイント又は電子クーポンの全てについて、特典内容が計算されたか否かを判定する。特典内容が計算されていない電子ポイント又は電子クーポンが存在する場合には、上記ステップ１０４へ戻り、当該電子ポイント又は電子クーポンを計算対象として繰り返す。一方、上記ステップ１０４で検索された電子ポイント又は電子クーポンの全てについて、特典内容が計算された場合には、ステップ１０８へ進む。
【０１１９】
ステップ１０８では、上記ステップ１０４で検索された電子ポイント又は電子クーポンの全てについて、上記ステップ１０６で計算された特典内容と、ポイント配置者のユーザ名及び当該店舗に関する評価情報と、有効期限とを表すポイント一覧データを、閲覧要求を送信した利用側ユーザ端末１４に送信する。
【０１２０】
次のステップ１１０では、上記ステップ１０８で送信したポイント一覧データの送信先の利用側ユーザ端末１４から、利用したいものとして選択された電子ポイント又は電子クーポンを示す情報を含む、ポイント利用要求を受信したか否かを判定する。利用側ユーザ端末１４から、ポイント利用要求を受信すると、ステップ１１２へ進む。
【０１２１】
ステップ１１２では、利用したいものとして選択された電子ポイント又は電子クーポンについて、上記ステップ１０４で計算された特典内容を得るための電子ポイント又は電子クーポンを発行し、利用側ユーザ端末１４に配信する。ここで、利用側ユーザ端末１４が、発行された電子ポイント又は電子クーポンを受信すると、タッチパネルディスプレイに、発行された電子ポイント又は電子クーポンが表示され、店舗を利用するときに、当該店舗の店員に提示される。
【０１２２】
次のステップ１１４では、利用実績情報が、電子ポイント又は電子クーポンに付与された店舗位置情報の店舗の店舗側端末１８から受信したか否かを判定する。ここで、利用側ユーザ端末１４のユーザが、発行された電子ポイント又は電子クーポンを提示して、当該店舗を利用すると、当該店舗の店員によって、店舗側端末１８が操作され、電子ポイント又は電子クーポンが利用されたことを示す利用実績情報が、ポイント管理サーバ１６に送信される。
【０１２３】
ポイント管理サーバ１６が、上記ステップ１１２で発行した電子ポイント又は電子クーポンの利用実績情報を受信すると、ステップ１１６へ進む。ステップ１１６では、ポイント利用結果を反映するように、ポイント記憶部６６の内容を更新し、ポイント管理処理ルーチンを終了する。
【０１２４】
上記ステップ１０４は、図１６に示す特典内容計算処理ルーチンによって実現される。
【０１２５】
まず、ステップ１２０において、計算対象の電子クーポン又は電子ポイントの店舗のポイントシステムが、流動ポイントであるか固定ポイントであるかを判定する。計算対象の電子クーポン又は電子ポイントの店舗のポイントシステムが流動ポイントであると設定されている場合には、ステップ１２２において、流動ポイントを計算する。具体的には、ポイント利用者のユーザＩＤに対応する、当該店舗での過去の利用回数を、ユーザ記憶部６２から取得し、ポイント利用者から送信された閲覧要求から、自宅の位置情報を取得し、また、ポイント利用者のユーザＩＤに対応する、当該店舗での過去の利用回数、当該店舗に対する口コミ内容を取得する。また、閲覧要求に含まれる位置情報と、計算対象の電子クーポン又は電子ポイントに付与された店舗位置情報を取得する。
【０１２６】
そして、ポイントを利用するユーザに関する情報｛当該店舗での過去の利用回数、自宅からの距離、現在地からの距離｝、ポイントを配置したユーザに関する情報｛当該店舗の利用回数、口コミ内容｝、及び当該店舗が「来店日、来店曜日、来店時間」に応じて設定したポイント倍率に基づき、流動ポイントを計算する。そして、当該店舗のポイント設定に基づいて、計算した流動ポイントによる特典内容を決定する。
【０１２７】
そして、ステップ１２４では、計算対象の電子クーポン又は電子ポイントの店舗に対して設定された固定ポイントによる特典内容を取得し、上記ステップ１２２で計算された流動ポイントによる特典内容と、取得した固定ポイントによる特典内容とを合算して、計算対象の電子クーポン又は電子ポイントの特典内容を計算し、特典内容計算処理ルーチンを終了する。
【０１２８】
一方、上記ステップ１２０において、計算対象の電子クーポン又は電子ポイントの店舗のポイントシステムが、固定ポイントであると判定された場合には、ステップ１２６において、計算対象の電子クーポン又は電子ポイントの店舗に対して設定された固定ポイントによる特典内容を取得し、取得した固定ポイントの特典内容を、計算対象の電子クーポン又は電子ポイントの特典内容として、特典内容計算処理ルーチンを終了する。
【０１２９】
また、ポイント管理サーバ１６が、店舗側端末１８から利用実績情報を受信したときに、ポイント管理サーバ１６において、図１７に示すサービスポイント計算処理ルーチンが実行される。
【０１３０】
まず、ステップ１３０において、ポイント利用者とポイント配置者とに対して付与される、サービスポイントを計算する。具体的には、受信した利用実績情報に対応する電子ポイント又は電子クーポンのポイント利用者のユーザＩＤと、受信した利用実績情報に対応する電子ポイント又は電子クーポンのポイント配置者のユーザＩＤとを取得する。
【０１３１】
そして、ポイント利用者のユーザＩＤに対応する、当該店舗での過去の利用回数を、ユーザ記憶部６２から取得し、利用実績情報に対応する閲覧要求から、自宅の位置情報を取得し、また、ポイント利用者のユーザＩＤに対応する、当該店舗での過去の利用回数、当該店舗に対する口コミ内容を取得する。また、利用実績情報に対応する閲覧要求に含まれる位置情報と、利用実績情報に対応する電子クーポン又は電子ポイントに付与された店舗位置情報を取得する。
【０１３２】
そして、ポイントを利用するユーザに関する情報｛当該店舗での過去の利用回数、自宅からの距離、現在地からの距離｝、ポイントを配置したユーザに関する情報｛当該店舗の利用回数、口コミ内容｝、及び「来店日、来店曜日、来店時間」に応じて設定したポイント倍率に基づき、サービスポイントを計算する。
【０１３３】
そして、ステップ１３２では、ポイント利用者のユーザＩＤ及びポイント配置者のユーザＩＤに対して、上記ステップ１３０で計算されたサービスポイントを加算するように、ポイント記憶部６６の内容を更新して、サービスポイント計算処理ルーチンを終了する。
【０１３４】
また、ポイント管理サーバ１６が、配置側ユーザ端末１２又は利用側ユーザ端末１４から、メンバー登録したいグループ情報及びユーザＩＤを含むグループ更新要求を受信したときに、ポイント管理サーバ１６において、図１８に示すグループ更新処理ルーチンが実行される。
【０１３５】
まず、ステップ１４０において、グループ更新要求に含まれるグループ情報に対応するグループ代表者を取得し、グループ代表者の配置側ユーザ端末１２又は利用側ユーザ端末１４に対して、メンバー登録したいユーザのユーザＩＤ及びユーザ名を含む登録承認要求を送信し、送信した登録承認要求に対する応答を受信するまで待機する。送信した登録承認要求に対する応答を受信した場合には、ステップ１４２において、グループ代表者が承認したか否かを判定する。グループ代表者が承認した場合には、ステップ１４４において、登録要求に含まれるグループ情報のメンバーとして、メンバー登録したいユーザのユーザＩＤを追加するように、ユーザ記憶部６２及びグループ記憶部６４の内容を更新する。
【０１３６】
次のステップ１４６では、グループ更新要求に含まれるグループ情報の各メンバーの配置側ユーザ端末１２又は利用側ユーザ端末１４に対して、メンバーを追加したことを示すメンバー追加通知を送信すると共に、各メンバーの配置側ユーザ端末１２又は利用側ユーザ端末１４のグループ記憶部３４、４６の内容を更新させ、グループ更新処理ルーチンを終了する。
【０１３７】
一方、上記ステップ１４２において、グループ代表者が承認しなかった場合には、グループ更新要求を送信した配置側ユーザ端末１２又は利用側ユーザ端末１４に対して、非承認通知を送信し、グループ更新処理ルーチンを終了する。
【０１３８】
以上説明したように、本発明の実施の形態に係るポイント管理システムによれば、配置側ユーザ端末から受信した、利用可能店舗の位置情報が付与された電子ポイント又は電子クーポンを、利用可能なグループと対応付けてポイント記憶部に格納し、ポイント管理サーバによって、閲覧要求を送信した利用側ユーザ端末に対して、当該利用側ユーザ端末のユーザ情報を含むグループと対応付けられた電子ポイント又は電子クーポンの一覧を送信することにより、ユーザが所属するグループ内で電子ポイント又は電子クーポンを共有することができる。
【０１３９】
また、従来技術では、店舗はユーザ自身が持っているネットワークやロコミを十分活用できていなかったが、電子ポイントや電子クーポンをグループで共有できるようにすることで、ユーザ同士で紹介し合いグループを構成するため、ユーザ自身が持つネットワークを活用して、店舗は新規顧客を獲得できる。また、グループで利用することにより、電子ポイントの有効期限が個人の利用に比べて頻繁に更新されるため、従来は失効してしまっていたポイントやクーポンも活用されリピート率も増加する。
【０１４０】
また、電子ポイントの配置者にもサービスポイントが還元されるため、ロコミの質が向上したり、グループの中でお互いに利用が促進され、電子ポイントや電子クーポンの利用頻度が向上することにより新規顧客やリピート率が増加する。
【０１４１】
また、電子ポイントや電子クーポンの獲得者本人だけでなく、グループのメンバー全員が電子ポイントや電子クーポンを利用できるため、利用可能な電子ポイントや電子クーポンが増加し利便性があがる。
【０１４２】
また、電子ポイントの利用者が店舗で割引を受けるだけでなく、電子ポイントの配置者にもサービスポイントが還元されるため、自分が来店しなくてもポイントを受領することができる。また、仮にサービスポイントが還元されない場合でも、グループ内のメンパーがポイントを利用することで人間関係の向上に役立つため、本システムの利用モチベーションが向上し、システムの利用率が向上する。
【０１４３】
また、家族や友人など、電子ポイント又は電子クーポンの内容に応じて公開範囲を限定できるため、プライバシーの情報をユーザ自身がコントロールすることができ、プライバシーの問題を回避できる。例えば、ユーザの希望に合わせて任意にグループを設定できるため、家族のみに公開する情報、友人グループＡに公用する情報、友人グループＢに公開する情報など、グループに応じて制御できる。さらに、限定されたメンバーのグループ間で電子ポイントや電子クーポンを共有するため、利用者は安心して電子ポイントや電子クーポンを利用できる。不特定多数からのおすすめではなく、家族や友人など限定されたメンバーからのおすすめの店舗であることは、新規顧客やリピート率増加にもつながる。
【０１４４】
また、来店履歴などの個人のプライバシーが守られるとともに、誤情報やスパムを恐れることなく利用者が安心してポイントを利用できる。
【０１４５】
また、グループのメンバーによる評価情報を、ポイント利用者が閲覧するため、信頼性の高い情報のみを閲覧することができる。
【０１４６】
なお、上記の実施の形態では、配置側ユーザ端末と利用側ユーザ端末とが別々の端末で構成されている場合を例に説明したが、これに限定されるものではなく、ポイント配置者とポイント利用者が同一のユーザである場合には、配置側ユーザ端末と利用側ユーザ端末は、１つの端末で構成されていてもよい。
【０１４７】
また、ポイント配置者とポイント利用者との各々に対して、サービスポイントを付与する場合を例に説明したが、これに限定されるものではなく、サービスクーポンを付与してもよい。
【０１４８】
また、ユーザ端末が、スマートフォンである場合を例に説明したが、これに限定されるものではなく、カーナビゲーションやその他の車載器の画面を利用しても良い。カーナビゲーションの画面を利用する場合には、上記図７のような画面から、ユーザが選択した店舗に目的地を設定するようにしてもよい。
【０１４９】
また、ポイント管理サーバは、過去のユーザの来店履歴からユーザの嗜好に合う店舗の推薦を行ってもよい。これによって、店舗にとっては広告効果が増し、新規顧客の獲得につながる。
【符号の説明】
【０１５０】
１０   ポイント管理システム
１２   配置側ユーザ端末
１４   利用側ユーザ端末
１６   ポイント管理サーバ
１８   店舗側端末
２０   ネットワーク
３０   通信部
３２   ユーザＩＤ記憶部
３４   グループ記憶部
３６   ポイント配置部
３８   サービスポイント管理部
４０   通信部
４２   位置情報取得部
４４   ユーザＩＤ記憶部
４６   グループ記憶部
４８   ポイント表示部
５０   ポイント利用部
５２   サービスポイント管理部
６０   通信部
６２   ユーザ記憶部
６４   グループ記憶部
６６   ポイント記憶部
６８   ポイント管理部
７０   ポイント発行部
７２   サービスポイント管理部
７４   グループ管理部
【図１】
2015201107.tif 000003
【図２】
2015201107.tif 000004
【図３】
2015201107.tif 000005
【図５】
2015201107.tif 000006
【図６】
2015201107.tif 000007
【図７】
2015201107.tif 000008
【図８】
2015201107.tif 000009
【図９】
2015201107.tif 000010
【図１０】
2015201107.tif 000011
【図１１】
2015201107.tif 000012
【図１２】
2015201107.tif 000013
【図１３】
2015201107.tif 000014
【図１４】
2015201107.tif 000015
【図１５】
2015201107.tif 000016
【図１６】
2015201107.tif 000017
【図１７】
2015201107.tif 000018
【図１８】
2015201107.tif 000019
【図４】
2015201107.tif 000020